(57)【要約】【課題】かつらにおいてニットのベース部はほつれやすく、植毛の作業性が低かった。【解決手段】ベース部と、ベース部に結合された毛髪とを備えたかつらであって、ベース部は、複数のループを形成しつつニット地を形成する編み糸と、複数のループのうちの一のループを他のループに連結する連結糸とを有する。上記かつらにおいて、ニット地は、横編みした編み糸で形成され、連結糸は縦に編み込まれてもよい。また、上記かつらにおいて、連結糸は、一のループに対して、同じウェール列に位置する他のループを連結してもよい。【選択図】図２
2019151944.tif 000002
【特許請求の範囲】
【請求項１】
ベース部と、前記ベース部に結合された毛髪とを備えたかつらであって、
前記ベース部は、
複数のループを形成しつつニット地を形成する編み糸と、
前記複数のループのうちの一のループを他のループに連結する連結糸と
を有するかつら。
【請求項２】
前記ニット地は、前記編み糸を横編みして形成され、前記連結糸は縦に編み込まれる請求項１に記載のかつら。
【請求項３】
前記連結糸は、前記一のループに対して、同じウェール列に位置する他のループを連結する請求項２に記載のかつら。
【請求項４】
前記連結糸は、前記一のループに対して、異なるウェール列に位置する他のループを連結する請求項２に記載のかつら。
【請求項５】
前記連結糸は、前記編み糸の周囲を周回して前記編み糸に結合される請求項１から４のいずれか一項に記載のかつら。
【請求項６】
前記編み糸は、天然素材を含む請求項１から５のいずれか一項に記載のかつら。
【請求項７】
前記編み糸は、植物繊維および動物繊維の少なくともひとつを含む請求項５に記載のかつら。
【請求項８】
前記編み糸は、木綿、絹、および毛糸のいずれかを含む請求項７に記載のかつら。
【請求項９】
前記連結糸は、ポリアミド系樹脂のモノフィラメントである請求項１から５のいずれか一項に記載のかつら。
【請求項１０】
前記連結糸は、前記編み糸よりも細い請求項９に記載のかつら。
【請求項１１】
前記ベース部の周囲の少なくとも一部に、前記ベース部と異なる材料により形成された縁部を備え、
前記縁部は、感圧型接着剤を塗布したベース材を含む接着テープにより、前記ベース部に結合される請求項１から１０のいずれか一項に記載のかつら。
【発明の詳細な説明】
【技術分野】
【０００１】
本発明は、かつらに関する。
【背景技術】
【０００２】
使い心地がよいニット地により形成されたベース部を備えたかつらがある（例えば、特許文献１参照）。
特許文献１  特開２０１６−１３２８３０号公報
【発明の概要】
【発明が解決しようとする課題】
【０００３】
ニット地はほつれやすいので毛髪を取り付ける工程の作業性が低く、品質とコストとの両立が難しかった。
【課題を解決するための手段】
【０００４】
本発明の第１の態様においては、ベース部と、ベース部に結合された毛髪とを備えたかつらであって、ベース部は、複数のループを形成しつつニット地を形成する編み糸と、複数のループのうちの一のループを他のループに連結する連結糸とを有するかつらが提供される。
【０００５】
上記の発明の概要は、本発明の特徴の全てを列挙したものではない。これらの特徴群のサブコンビネーションも発明となり得る。
【図面の簡単な説明】
【０００６】
【図１】かつら１００全体の模式図である。
【図２】ベース部２００の部分拡大図である。
【図３】ベース部２００の編み方を示す模式図である。
【図４】ベース部２０１の他の編み方を示す模式図である。
【図５】ベース部５００の部分拡大図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、かつら１００全体の模式図である。かつら１００は、ベース部２００、縁部３００、および毛髪４００を備える。かつら１００は、図示のように、ユーザ９０が頭部９１に装着して使用する。
【０００９】
かつら１００のベース部２００は、ニット地により形成され、かつら１００の大部分を占める。ユーザ９０がかつら１００を装着した場合に、ベース部２００は、ユーザ９０の頭部９１の少なくとも一部を覆う。なお、かつら１００は、頭部９１を全体に被う全頭かつらであっても、頭部９１の一部分を覆う部分かつらであってもよい。
【００１０】
ベース部２００を形成するニット地は高い伸縮性を有するので、かつら１００を装着した場合、ベース部２００はユーザ９０の頭部９１の形状に沿って密着する。また、ニット地は通気性を有するので、頭部９１に密着してもユーザ９０に不快感を与えない。
【００１１】
縁部３００は、ベース部２００の周縁に配され、ベース部２００の外縁を保護すると共に、ベース部２００の縁をユーザ９０の頭部に密着させる。このため、縁部３００に、ベース部２００よりも強い伸縮性を持たせてもよい。また、縁部３００の内面を滑りにくい形状にしてもよいし、縁部３００に滑りにくい材料を用いてもよい。
【００１２】
なお、縁部３００は、かつら１００の縁全体に設けてもよいし、部分的に設けてもよい。また、縁部３００を全く省略してもよい。かつら１００の装着に接着剤等を使用する場合は、接着剤に対する接着性が高い材料で縁部３００の少なくとも一部を形成してもよい。
【００１３】
毛髪４００は、ベース部２００のニット地に対して取り付けられている。これにより、ユーザ９０がかつら１００を装着した場合に、毛髪４００が、恰もユーザ９０の頭部９１から生えているように見える。毛髪４００は、天然毛髪であってもよいし、人工毛髪であってもよい。
【００１４】
上記のかつら１００において、縁部３００とベース部２００とは、縫製ではなく、接着テープにより結合してもよい。この場合、接着テープは、縁部３００またはベース部２００のいずれかと同等の伸縮性を有するベース材に感圧型接着剤を塗布したものを使用してもよい。また、接着テープのベース材として、縁部３００またはベース部２００と同じ素材を使用してもよい。
【００１５】
このような接着テープを、かつら１００のユーザ９０の肌に触れない面、すなわち、かつら１００の外側の面で使用することにより、縁部３００およびベース部２００の結合部に対してユーザ９０が違和感を感じないかつら１００を形成できる。
【００１６】
なお、接着テープによる生地の結合は、ベース部２００と縁部３００との結合以外にも使用してもよい。例えば、ベース部２００をユーザ９０の頭部の形状に倣った形状に成形する場合に、縫製に代えて接着テープを使用してもよい。また、かつら１００が、毛髪４００を植毛するベース部２００と縁部３００以外に、毛髪４００を植毛しない領域とを有する場合に、植毛するベース部２００と非植毛部分をなす生地とを接着テープにより結合してもよい。
【００１７】
図２は、図１にＡで示すベース部２００の一部を拡大して示す図である。ベース部２００を形成するニット地は、横糸２１０および縦糸２２０を有する。
【００１８】
横糸２１０は、それぞれが円弧状の曲線をなす複数のループを形成して、図中水平方向に延在する。この水平方向に延在する横糸２１０の１本は、それぞれコースと呼ばれる。そこで、以降の記載においては、コースの延在方向をコース方向と記載する。
【００１９】
横糸２１０のそれぞれに形成されたループは、図中縦に隣接するループに順次潜らせることにより紙面に沿って平面的に拡がる編み物を形成する。すなわち、本実施例における横糸２１０は、緯編みのニットを形成する編み糸の一例である。
【００２０】
更に、図示のニット地は、図中縦方向に隣接した横糸２１０を相互に連結する縦糸２２０を有する。縦糸２２０は、横糸２１０と交差する方向に延在し、横糸２１０と交差する毎に横糸２１０に巻きついて、横糸２１０が形成するループを連結する。本実施例における縦糸２２０は、緯編みのニットを形成する連結糸の一例である。
【００２１】
ここで、１本の縦糸２２０が連結する図中縦方向に並んだ複数のループの列はウェールと呼ばれる。そこで、以降の記載においては、ウェールにおけるループの配列をウェール列、ループの配列方向を、ウェール方向と記載する。
【００２２】
ベース部２００のニット地において、縦糸２２０は、横糸２１０の周囲を周回して横糸２１０を拘束する。これにより、横糸２１０の一部に張力が作用した場合に、横糸２１０の図中水平方向への変位を係止する。このような縦糸２２０による連結により、図示のベース部２００では、ニット地に生じるやすいほつれの発生を抑制する。
【００２３】
かつら１００においては、横糸２１０のいずれかを引き上げて結びつけることによりベース部２００に毛髪４００を取り付ける。このような毛髪４００の取り付ける工程において横糸２１０のいずれか引っ張った場合、ベース部２００では、上記のように横糸２１０の引き抜きが縦糸２２０により係止されているので、横糸２１０が生地から抜け出たままになるほつれが生じない。
【００２４】
ベース部２００を形成するニット地においては、横糸２１０として、植物由来または動物由来の自然素材を好適に使用できる。より具体的には、絹、木綿、毛糸等の植物由来の素材や、毛糸、カシミヤ等の動物由来の素材を、フィラメントまたは撚糸にして好ましく用できる。この種の自然素材を用いることにより、かつら１００の着け心地がよくなり、特に、ユーザの嗜好に因らずにかつら１００の装着を余儀なくされる医療用かつらに好適に使用できる。
【００２５】
また、ベース部２００を形成するニット地の縦糸２２０としては、ポリエステルおよびポリアミド樹脂のモノフィラメントを好ましく使用できる。この種の化学繊維は、寸法安定性や形状安定性に優れる。
【００２６】
なお、化学繊維の縦糸２２０を、自然素材の横糸２１０よりも細くしてもよい。これにより、ベース部２００全体では、ユーザ９０にとって横糸２１０の感触が支配的になり、横糸２１０の快適性と縦糸２２０の機能性とを両立できる。
【００２７】
図３は、図２に示したベース部２００を形成するニット地の編み方を示す模式図である。図示の例では、給糸口１〜４から供給される４コースの横糸２１１、２１２、２１３、２１４を横編みにしてニット地を編み上げる。
【００２８】
また、縦糸２２０は、横編みによりニット地を形成する横糸２１１、２１２、２１３、２１４と交差するように供給され、横糸２１１、２１２、２１３、２１４と交差する毎に、縦糸２２０を編む針を交互に前送りまたは後送りする。これにより、ひとつのウェール列方向に隣接するループのそれぞれに対して、縦糸２２０が巻き付けられる。
【００２９】
縦糸２２０を巻き付けられた横糸２１０は、縦糸２２０と交差する方向への変位が係止される。よって、編み上げられたベース部２００においては、各ウェール内のループが順次連結され、図２に示した構造が形成される。
【００３０】
図４は、ベース部２０１を形成する他のニット地の編み方の別例を示す模式図である。図示の例では、給糸口１〜５から供給される５コースの横糸２１１、２１２、２１３、２１４、２１５を横編みにしてニット地を編み上げる。また、縦糸２２０は、横編みによりニット地を形成する横糸２１１、２１２、２１３、２１４、２１５と交差するように供給され、横糸２１１、２１２、２１３、２１４、２１５のそれぞれと交差する毎に、横糸２１１、２１２、２１３、２１４、２１５に巻き付けられる。
【００３１】
ここで、図５に示した例では、針の前送りと後送りとが２回ずつ連続した後に切り替えられる。これにより、縦糸２２０は、ひとつのウェールに属するひとつのループに巻き付けられた後、同じウェールに属する次のコースの横糸２１０に巻き付けられる場合と、隣接する他のウェールに属し、且つ、次の隣接するコースに属するループに巻き付けられる場合とを交互に繰り返す。
【００３２】
こうして、編み上げられたベース部２０１では、ウェール方向に隣接するループが連結された連結部分と、ウェール方向およびコース方向の両方に変位したループが連結された連結部分とが全体に分布して，ベース部２０１のほつれを防止する。
【００３３】
上記図３および図４に示したいずれの方法によって編み上げられたベース部２００、２０１ニット地を用いてかつら１００を形成できる。また、いずれのベース部２００、２０１を備えるかつら１００においても、横糸２１０または縦糸２２０が形成するループが他のループと連結されているので、ニット地としての伸縮性を維持しつつも、ほつれを防止している。これにより、ベース部２００、２０１を痛めることなく、毛髪４００を容易に取り付けることができるので、かつら１００の生産性を工場できる。
【００３４】
また、上記の構造により、ベース部２００、２０１の素材としてほつれに弱い自然素材を用いた場合であっても、品質を保ちつつ生産性を工場してコストを低減できる。これにより、特に医療用のかつら１００において、ユーザの利便性と快適性とを向上できる。
【００３５】
図５は、他の例に係るベース部５００の部分拡大図である。図示のベース部５００は、複数の縦糸５２０により編み上げられた経編みのニット地である。よって、本実施例においては、縦糸５２０が、編み糸の一例となる。
【００３６】
更に、ベース部５００においては、コース方向に並ぶ縦糸５２０を連結する横糸５１０を有する。本実施例においては、横糸５１０が、連結糸の一例となる。
【００３７】
上記のような構造により、いずれかの縦糸５２０の一部が引っ張られた場合であっても、縦糸５２０が、図中縦方向に大幅に変位することが係止される。これにより、縦編みのニット地により形成されたベース部５００においても、編み糸のほつれが防止される。
【００３８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００３９】
９０  ユーザ、９１  頭部、１００  かつら、２００、２０１、５００  ベース部、３００  縁部、４００  毛髪、２１０、２１１、２１２、２１３、２１４、２１５、５１０  横糸、２２０、５２０  縦糸
【図１】
2019151944.tif 000003
【図２】
2019151944.tif 000004
【図３】
2019151944.tif 000005
【図４】
2019151944.tif 000006
【図５】
2019151944.tif 000007
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
ベース部と、前記ベース部に結合された毛髪とを備えたかつらであって、
前記ベース部は、
複数のループを形成しつつニット地を形成する編み糸と、
前記複数のループのうちの一のループを他のループに連結する、前記ニット地を形成する前記編み糸とは別の連結糸と
を有するかつら。
【請求項２】
前記ニット地は、前記編み糸を横編みして形成され、前記連結糸は縦に編み込まれる請求項１に記載のかつら。
【請求項３】
前記連結糸は、前記一のループに対して、同じウェール列に位置する他のループを連結する請求項２に記載のかつら。
【請求項４】
前記連結糸は、前記一のループに対して、異なるウェール列に位置する他のループを連結する請求項２に記載のかつら。
【請求項５】
前記連結糸は、前記編み糸の周囲を周回して前記編み糸に結合される請求項１から４のいずれか一項に記載のかつら。
【請求項６】
前記編み糸は、天然素材を含む請求項１から５のいずれか一項に記載のかつら。
【請求項７】
前記編み糸は、植物繊維および動物繊維の少なくともひとつを含む請求項５に記載のかつら。
【請求項８】
前記編み糸は、木綿、絹、および毛糸のいずれかを含む請求項７に記載のかつら。
【請求項９】
前記連結糸は、ポリアミド系樹脂のモノフィラメントである請求項１から５のいずれか一項に記載のかつら。
【請求項１０】
前記連結糸は、前記編み糸よりも細い請求項９に記載のかつら。
【請求項１１】
前記ベース部の周囲の少なくとも一部に、前記ベース部と異なる材料により形成された縁部を備え、
前記縁部は、感圧型接着剤を塗布したベース材を含む接着テープにより、前記ベース部に結合される請求項１から１０のいずれか一項に記載のかつら。